(57)【要約】【課題】  使用者の顔形状の違いや表情変化に対応できるようフィット性を向上させるとともに、マスク両側部のフィット性向上をより効率的に実現できるマスクを提供する。【解決手段】  横中心線と平行なプリーツを有するマスクにおいて、プリーツを固定する溶着ないし縫製がプリーツの折り目にかからないようにし、プリーツ両側の自由度を高め動きやすくすることで、使用者がマスクを装着した際に使用者の顔形状や表情変化に対応でき、よりフィットしやすいことを特徴とするマスクである。【選択図】図１
2017002452.tif 000002
【特許請求の範囲】
【請求項１】
横中心線に平行なプリーツを有するマスク本体と、マスク本体を顔に保持するための紐からなる衛生マスクにおいて、前記マスク本体両側部に、前記プリーツの拡がりを抑える為のプリーツ固定部があり、該プリーツ固定部が、プリーツの折り目を固定しないように配列されたことを特徴とするマスク。
【請求項２】
横中心線に平行なプリーツを有するマスク本体と、マスク本体を顔に保持するための紐からなる衛生マスクにおいて、前記マスク本体両側部に、前記プリーツの拡がりを抑える為のプリーツ固定部があり、マスク本体表側の１つの折り目とマスク本体裏側の１つの折り目とで形成され、側面から見た際Ｎ字型をしている１つのＮ字プリーツに対し、該プリーツ固定部により、前記表側折り目は固定されず、前記裏側折り目のみ固定されていることを特徴とするマスク。
【請求項３】
横中心線に平行なプリーツを有するマスク本体と、マスク本体を顔に保持するための紐からなる衛生マスクにおいて、前記プリーツの拡がりを抑える為のプリーツ固定部とは別に、フィット性を向上させる為に設けられたプリーツ押さえ部が、前記プリーツの折り目を固定しないように配列されたことを特徴とする請求項１ないし請求項２のマスク。
【請求項４】
横中心線に平行なプリーツを有するマスク本体と、マスク本体を顔に保持するための紐からなる衛生マスクにおいて、前記プリーツの拡がりを抑える為のプリーツ固定部が、マスク内周に断続的な線で環状に設けられている、請求項１ないし請求項２のマスク。
【請求項５】
横中心線に平行なプリーツを有するマスク本体と、マスク本体を顔に保持するための紐からなる衛生マスクにおいて、横中心付近に、横中心線と平行方向に溶着が施された請求項１から請求項４のいずれかに記載のマスク。
【発明の詳細な説明】
【技術分野】
【０００１】  本発明は、花粉・埃・病原菌等の吸引、防寒等の目的に使用されるマスクに関するものである。
【背景技術】
【０００２】  近年、マスクの需要が高まり、市場にはフィット性や快適性を工夫した多数のマスクが販売されている。しかし、不織布製プリーツマスクでは、溶着によってプリーツの拡がりや各層の生地を固定することが一般的であり、前記溶着部が硬くなる、厚みが出る、プリーツが一体化しプリーツ単独の動きが制御されるといった影響で、マスクと顔の間に隙間が出来やすくなる。
例えば、プリーツマスクにはプリーツを立体的に拡げてマスク本体中央付近を前方へ突出させ口もとに空間を作る役目と、耳掛紐を耳に掛けマスク本体を顔面側へ引き寄せ保持する役目がある。しかし、プリーツ折り目を重なる他のプリーツと溶着した場合、それぞれのプリーツが一体化し、前方へ拡がる力より顔面方向へ引き寄せられる力が大きくなるため、プリーツ自らが拡がろうとする方向には広がりにくくなり、顔とマスクの間に隙間が出来やすくなる。【０００３】  特許第５２８０９４３号に、マスク本体を下方に窄む形状にし、更にその形状と平行に溶着部を形成することでフィット性を高めるとした特許がある。両側部が平行なマスクに比べてフィットしやすくなっているが、それぞれのプリーツが一体となっている場合、使用者の顔形状や表情によって、隙間の出来方が大きく変わってくることが考えられる。
【先行技術文献】
【０００４】
【特許文献１】特許第５２８０９４３号
【実用新案文献１】
実用新案登録第３１１７５００号
【発明の概要】
【発明が解決しようとする課題】
【０００５】  本発明は、使用者の顔形状の違いや表情変化に対応してフィット性を向上させるとともに、マスク両側部のフィット性向上をより効率的に実現できることを課題とする。
【課題を解決するための手段】
【０００６】  上記課題は、プリーツを固定する溶着ないし縫製を、プリーツの折り目にかからないようにし、プリーツ両側の自由度を高め動きやすくすることで、使用者がマスクを装着した際に使用者の顔形状や表情変化に対応でき、よりフィットしやすくするものである。
【発明の効果】
【０００７】  本マスクが装着される時、使用者はプリーツを拡げ、耳掛紐を耳に掛ける。耳掛紐が耳に掛けられるとマスク本体は後方への力が生じ、顔面にフィットする。同時に、プリーツを拡げると前方への力が生じプリーツは前方へ膨らもうとする。【０００８】  この時、従来のマスクであればマスク本体両側部のプリーツ固定部はプリーツ折り目上を固定しているため、各プリーツの自由度が低く、マスク本体が、力の強い顔面側へ引き寄せられ、プリーツが前方へ膨らもうとする力が小さくなる為、プリーツの効果が効率的に発揮できないとともに、溶着によって硬くなったマスク本体両側部は顔に沿いにくく、後方への力とそれに反して前方へ膨らもうとする力によって顔面とマスク本体両側部の間に隙間が生じる。【０００９】  しかし、本マスクでは、プリーツ折り目を溶着しないため、マスク両側部は比較的自由な状態にある。プリーツを拡げると、マスク本体両側プリーツ固定部の溶着された一つひとつの溶着点を支点として各プリーツはマスク本体中心付近が突出するのに伴って変形し、耳掛紐を耳に掛け、後方への力によってマスク本体が顔面側に引き寄せられても、動きが制御されにくく、後方への力に影響されることなくプリーツを立体的に形成し、さらには各プリーツの自由度が高いので表情の変化にも対応し、顔面にフィットしやすくなる。
【発明を実施するための最良の形態】
【００１０】  本発明の好ましい実施形態を、図面を参照しながら説明する。図１は、本発明の一実施例の正面図を示す。図２は、図１のマスクを装着した時の右側面図である。図３は、図２のマスク本体２２０を模式的に示した図であり、２６はプリーツ固定部を示す。図４は、図１のマスク本体２２０のプリーツ固定部の位置、大きさを変更した場合の右側面図の模式図である。図５、図６はプリーツの数、向きを変更した一例の右側面図であり、図７は請求項４に記載のマスクの正面図である。図８は、プリーツ固定部２６とは別に、プリーツ押さえ部２８を設けた一実施例の正面図である。尚、模式図の厚みは省略して描かれている。【００１１】  図１に示すマスク２００は、横中心線に平行なプリーツを有するマスク本体２２０と、それを顔面に保持するために耳に掛ける耳掛紐２１０から構成される。マスク本体２２０は、表側から見た時に４つの下向きプリーツ２３があり、等脚台形の角に丸みをもたせて逆さにした形状をしている。ここでのプリーツの数や向き、マスク本体の形状は一例であり、限定されるものでなく、図５のようにプリーツが３つで、表側のプリーツが全て上向きの場合や、図６のように上向きプリーツと下向きプリーツが混在しているように、プリーツの向きの変更、数の増減、マスク本体が長方形、円形その他の形状でも可能である。【００１２】  更に、右側部１１ａ、左側部１１ｂにはプリーツを固定する為の溶着（以下、プリーツ固定部２６）が設けられている。プリーツ固定部２６はマスク本体２２０の左右側部１１ａ、１１ｂに断続的な線で各１本ずつあり、マスク本体２２０下辺に垂直に並んでいても何ら問題はないが、ここでは一例として下方が狭くなるよう配置する。下方を狭くすることにより、あご付近でのマスク本体２２０の拡がりを抑制し、フィット性を更に向上させる効果がある。【００１３】  断続的なプリーツ固定部２６の溶着点の間隔は、図３に示すように、マスク本体２２０表側の下向きプリーツ折り目２４と裏側の上向きプリーツ折り目２２の２つの折り目で形成される１つのＮ字プリーツ２５に対し、プリーツ折り目にかからないよう、折り目の中間付近で溶着されている。例えば上向きプリーツ折り目２２と下向きプリーツ折り目２４の距離が概ね１０ｍｍであれば、上向きプリーツ折り目２２と下向きプリーツ折り目２４から４ｍｍの箇所に高さ２ｍｍの溶着点を設けるのが良い。溶着の数は１つのＮ字プリーツに対し１つが最も望ましいが、その限りではない。【００１４】  図４のように、マスク本体２２０表側の下向きプリーツ折り目２４は固定せず、マスク本体２２０裏側の上向きプリーツ折り目２２は固定しても良い。この場合、表側の下向きプリーツ折り目２４から溶着点の距離が、５ｍｍ以上が望ましい。【００１５】  前記プリーツ折り目は、マスクによっては、図５、図６のように表側に上向きプリーツ２１、裏側に下向きプリーツ２３となることもあるが、どちらにせよ表側のプリーツ１つと裏側のプリーツ１つによって構成される１つのＮ字プリーツに対する位置を示している。【００１６】  図８に示すように、プリーツの拡がりを抑える為のプリーツ固定部２６とは別に、マスクの拡がりすぎを部分的に抑制しフィット性���向上させる為のプリーツ押さえ部２８を設ける場合、プリーツ押さえ部２８の固定位置は、プリーツ固定部２６と同様にプリーツの折り目を固定しないように配列するか、裏側のプリーツ折り目のみ固定する。【００１７】  また、図７に示すように、プリーツ固定部２６は２つの線ではなく、マスクを構成する生地を固定する溶着と一続きにし、マスクの内周を断続的な線で縁どるように環状にしても良い。【００１８】  マスク本体２２０の鼻に当たる部分には、マスク本体２２０が鼻から頬の窪みにフィットしやすいように、ワイヤーもしくは形状記憶性のあるプラスチック製のノーズバー１２が、マスク本体２２０を構成する生地の間に挟み込まれている。【００１９】  マスクの横中心付近には、口元に空間を保持するために、横中心線と平行にプラスチック製の口もとバー１３を挟み込んでも良いが、マスクの製造方法によっては該口もとバー１３をプリーツ固定部２６より内側の長さに設定することが不可能な場合がある。口もとバー１３がプリーツ固定部２６の外側にでると、口もとバーの切り口が顔に当たり危険なので、その場合、マスク本体の横中心付近に横中心線と並行に口もと溶着１４を施し、厚み・硬さを持たせても良い。
【図面の簡単な説明】
【図１】本発明の一実施例を示した正面図
【図２】図１のマスクを使用者が装着した状態を示した右側面図
【図３】図１のマスク本体右側面図を模式的に示した図
【図４】請求項２に記載のマスクを示した右側面図
【図５】本発明の一実施例を示した右側面図
【図６】本発明の一実施例を示した右側面図
【図７】請求項４に記載のマスクを示した正面図
【図８】本発明の一実施例を示した正面図
【符号の説明】１０  耳掛紐固定部
１１ａ  右側部
１１ｂ  左側部
１２  ノーズバー
１３  口もとバー
１４  口もと溶着
２０  プリーツ
２１  上向プリーツ
２２  上向プリーツ折り目
２３  下向プリーツ
２４  下向プリーツ折り目
２５  Ｎ字プリーツ
２６  プリーツ固定部
２８  プリーツ押さえ部
１００  使用者
２００  マスク
２１０  耳掛紐
２２０  マスク本体
【図１】
2017002452.tif 000003
【図２】
2017002452.tif 000004
【図３】
2017002452.tif 000005
【図４】
2017002452.tif 000006
【図５】
2017002452.tif 000007
【図６】
2017002452.tif 000008
【図７】
2017002452.tif 000009
【図８】
2017002452.tif 000010